(57)【要約】【課題】  可視光下で無色の蛍光インクを用い、当該蛍光インクで筆記している文字等をペンを持ち替えることなく即座に確認可能な蛍光ペンを提供する。【解決手段】  ＵＶライト４は、ペン先２の先端部近傍に照射可能に取り付けられる。すなわち、ＵＶライト４を点灯させると、ペン先２および当該ペン先２で文字等を筆記する面（記載面）に蛍光インクが発光するための光エネルギーを有する光が照射される。したがって、上記ペン先２で文字等を筆記しながら（ペン先２を記載面に向けたまま）、ＵＶライト４を点灯させることにより、筆記している最中の文字等を視認しながら引き続き文字等を筆記することができる。【選択図】          図１
2005111825.tif 000002
【特許請求の範囲】
【請求項１】
可視光において無色の蛍光インクを含んだペン先と、
当該無色の蛍光インクが発光するための所定の励起エネルギー分の光エネルギーを有する光を前記ペン先先端部近傍に照射可能なライトとを具備することを特徴とする蛍光ペン。
【請求項２】
前記ライトの光源は、発光ダイオードであることを特徴とする請求項１記載の蛍光ペン。
【請求項３】
前記ペン先と同軸の胴体部を具備し、前記ライトは、前記胴体部内に設置されることを特徴とする請求項１または２記載の蛍光ペン。
【発明の詳細な説明】
【技術分野】
【０００１】
本発明は、所定の光を照射することにより可視化される可視光において無色の蛍光ペンに関する。
【背景技術】
【０００２】
学習、パズル、または第三者に対して秘密の状態を保つ用途等のために、可視光下で無色透明の蛍光インクを用いた蛍光ペンが公知である。この蛍光ペンで筆記した文字等は、通常の可視光下では、視認することができず、蛍光ペンのインクが蛍光する波長領域を有する光（紫外線光等）を照射した場合に、可視化されるという特徴を有している。したがって、この蛍光ペンを使用する場合には、紫外線光等が照射可能なライトが必須となる。
【０００３】
しかしながら、蛍光ペンとライトとを常備するのは煩雑であり、携帯性も損われる。特に、学習やパズル等を電車内等で行う場合には、片手で学習帳やパズルを持ち、もう一方の手で蛍光ペンとライトとを持ち替える必要が生じ、非常に煩わしい。
【０００４】
上記問題を解決すべく、胴体部に所定光を照射可能なライトを具備する蛍光ペンが公知である（特許文献１および特許文献２参照）。このように、蛍光ペンとライトとを一体とすることにより、それぞれを別々に所持する不便をなくすことができる。
【特許文献１】特開平７−１９５８９０号公報
【特許文献２】特開２００３−２３７２８３号公報
【発明の開示】
【発明が解決しようとする課題】
【０００５】
しかし、このような従来の蛍光ペンにおいては、以下のような問題があった。すなわち、上記特許文献１，２のように、蛍光ペンのペン先とは反対側の端部に光源（光照射口）があるため、筆記した文字等を確認する（視認する）ためには、蛍光ペンをひっくり返すべく持ち替える必要があった。さらに、蛍光ペンで文字等を筆記する最中は、ライトを点灯させても、筆記された箇所（ペン先の周囲）には光が当たらないため、筆記している文字等を確認しながら（光を照射しながら）続けて文字等を筆記することはできないという問題があった。
【０００６】
本発明は、かかる従来技術の問題点を解決するべくなされたもので、可視光下で無色の蛍光インクを用い、当該蛍光インクで筆記している文字等をペンを持ち替えることなく即座に確認可能な蛍光ペンを提供することを目的とする。
【課題を解決するための手段】
【０００７】
本発明に係る蛍光ペンは、可視光において無色の蛍光インクを含んだペン先と、当該無色の蛍光インクが発光するための所定の励起エネルギー分の光エネルギーを有する光を前記ペン先先端部近傍に照射可能なライトとを具備するものである。
【０００８】
上記構成の蛍光ペンによれば、ペン先が可視光において無色の蛍光インクを含んでいるので、これをもって文字等を筆記することによって、可視光下では視認困難な文書等を作成することができる。
【０００９】
一方、ライトは、上記蛍光インクが発光するための励起エネルギー分の光エネルギーを有する光を照射可能であり、当該光を上記ペン先で筆記した文書等に照射することによって当該文書等を蛍光させ、可視化させることができる。
【００１０】
そして、このライトは、上記ペン先先端部近傍に照射可能に取り付けられる。すなわち、ライトを点灯させると、ペン先および当該ペン先で文字等を筆記する面（記載面）に蛍光インクが発光するための光エネルギーを有する光が照射される。したがって、上記ペン先で文字等を筆記しながら（ペン先を記載面に向けたまま）、ライトを点灯させることにより、筆記している最中の文字等を視認しながら引き続き文字等を筆記することができる。
【００１１】
このように、ペン先先端部近傍を照射可能なライトにより、ペン先を記載面に向けたまま、ペン先先端部近傍の記載面に筆記された文字等が視認可能となるため、筆記している最中であっても筆記した（筆記している）文字等をペンを持ち替えることなく即座に確認することができる。
【００１２】
好ましくは、前記ライトの光源は、発光ダイオードであるように構成される。
【００１３】
発光ダイオードは、その発光素子自体が小さいとともに、一般的な放電管からなる紫外線ライトとは異なり、インバータが不要で抵抗器のみで作動可能であるため、蛍光ペンをより小型化することができ、携帯性をより高めることができる。
【００１４】
好ましくは、前記ペン先と同軸の胴体部を具備し、前記ライトは、前記胴体部内に設置されるように構成される。
【００１５】
この場合、ライトは、蛍光ペンのペン先と同軸の胴体部内に設置される。したがって、外部に余計な出っ張りがなく、一般的な（ライトのついていない）ペンと違和感なく扱う（手で持つ）ことができ、携帯性もより高めることができる。
【発明の効果】
【００１６】
本発明に係る蛍光ペンによれば、ペン先先端部近傍を照射可能なライトにより、ペン先を記載面に向けたまま、ペン先先端部近傍の記載面に筆記された文字等が視認可能となるため、筆記している最中であっても筆記した（筆記している）文字等をペンを持ち替えることなく即座に確認することができる。
【発明を実施するための最良の形態】
【００１７】
以下、添付図面を参照しつつ、本発明を実施するための最良の形態について説明する。図１は本発明の一実施形態に係る蛍光ペンを示す図である。
【００１８】
本実施形態に係る蛍光ペンは、図１に示すように、可視光において無色の蛍光インクを含んだペン先２と、当該無色の蛍光インクが発光するための所定の励起エネルギー分の光エネルギーを有する光を前記ペン先先端部近傍に照射可能なＵＶ（紫外線）ライト４とを具備するものである。また、前記ＵＶライト４の光源は、発光ダイオード（ＬＥＤ）であるように構成され、前記ペン先２と同軸の胴体部１を具備し、前記ＵＶライト４は、前記胴体部１内に設置されるように構成される。
【００１９】
さらに、前記胴体部１は、把持部１１および円錐台部３を具備し、円錐台部３には、ＵＶライト４設置用の切り欠き３１が設けられ、把持部１１には、切り欠き１２が設けられ、ＵＶライト４のためのスイッチ５が設置される。本実施形態のスイッチ５は、ＵＶライト４の点灯時、消灯時に関わらず、頭部が切り欠かれていない胴体部１表面より突出しないように設けられる。また、ペン先２の保護およびインクの乾燥を防ぐとともに、携帯し易いようにクリップのついたキャップ６を別部材として具備する。
【００２０】
図２は図１の蛍光ペンのキャップ被嵌状態を示す図である。図２に示すように、スイッチ５は、キャップ６被嵌時に、キャップ６内に干渉することなく収容される。このため、蛍光ペン携帯時に誤ってスイッチが入ることを防止することができ、無駄に電源電力を消費することがない。また、キャップ５は、ＵＶライト４が点灯した状態のままキャップ５を被嵌してしまわないように、透明または半透明であることが好ましい（点灯／消灯の別が確認できれば不透明であっても構わない）。
【００２１】
図３は図１の蛍光ペンの部分断面図である。図３に示されるように、胴体部１内に可視光において無色の蛍光インク（以下、単に無色蛍光インクとも言う）を貯留しておくためのインク貯留部２１を有している。インク貯留部２１は、ペン先２に随時無色蛍光インクを供給する。無色蛍光インクは、後述するＵＶライト４からの光束が有する紫外線波長領域（約３７０ｎｍ〜約４００ｎｍ）の光エネルギーを吸収し、自らを発光させる可視光において無色のインクである。なお、インク貯留部２１は、ペン先２と一体または別体に構成され、取替え可能なリフィルまたはインクカートリッジであることが好ましい。
【００２２】
上記構成の蛍光ペンによれば、ペン先２が無色蛍光インクを含んでいるので、これをもって文字等を筆記することによって、可視光下では視認困難な文書等を作成することができる。
【００２３】
一方、ＵＶライト４は、上記蛍光インクが発光するための励起エネルギー分の光エネルギーを有する光を照射可能であり、当該光を上記ペン先２で筆記した文書等に照射することによって当該文書等を蛍光させ、可視化させることができる。このようなＵＶライト４は、単体では一般的にブラックライトとも称され、その多くは、紫外線波長領域（約３７０ｎｍ〜約４００ｎｍ）の光エネルギーを有し、多くの無色蛍光インクを発光させることができる。
【００２４】
本実施形態においては、図３に示されるように、胴体部１のインク貯留部２１に干渉しない箇所に電池収容部１４が設けられ、当該電池収容部１４にＵＶライト４を点灯させるための電源となる電池７が設置される。なお、胴体部１の表面には電池交換用の蓋１３が設けられており、電池交換も可能である。そして、ＵＶライト４と電池７とをスイッチ５を介して電気的に接続するべく配線される。本実施形態のスイッチ５は、プッシュスイッチであり、スイッチ５を押下することでライト４が点灯し、もう一度押下することで消灯する。
【００２５】
そして、ＵＶライト４は、上記ペン先２の先端部近傍に照射可能に取り付けられる。図４は図１の蛍光ペンをペン先側から見た図である。本実施形態においては、ＵＶライト４が、胴体部１内から円錐台部３の切り欠き３１へ向けてペン先２と略平行に設置されており、ＵＶライト４からの光がペン先２の先端部近傍を照射可能に構成されている。本実施形態の蛍光ペンは、ＵＶライト４としてＬＥＤを用いており、図４に示すように円錐台部３に４つのＬＥＤが同一円周上に均等に設置されている。このため、ペン先２の周囲を略均一に照射することができるとともに、胴体部１による影を作ることを防止することもできる。また、ＬＥＤは、その発光素子自体が小さいとともに、一般的な放電管からなる紫外線ライトとは異なり、インバータが不要で抵抗器のみで作動可能であるため、蛍光ペンをより小型化することができ、携帯性をより高めることができる。一方、ＵＶライト４が蛍光ペンのペン先２と同軸の胴体部１内に設置されることにより、外部に余計な出っ張りがなく、一般的な（ライトのついていない）ペンと違和感なく扱う（手で持つ）ことができ、これによっても携帯性をより高めることができる。
【００２６】
図５は図１の蛍光ペンの使用状態図である。本実施形態の蛍光ペンにおいて、ＵＶライト４を点灯させると、ペン先２およびペン先２先端部近傍の所定範囲Ｘ内に蛍光インクが発光するための光エネルギーを有する光が照射される。図５に示すように、ペン先２で文字等を筆記する面（記載面）に無色蛍光インクで筆記されたインク線Ｋは、ＵＶライト４からの光束の照射範囲Ｘ外では、視認不能（破線で示す）であるが、照射範囲Ｘ内では、視認可能となる（実線で示す）。したがって、上記ペン先２で文字等を筆記しながら（ペン先２を記載面に向けたまま）、ＵＶライト４を点灯させることにより、筆記している最中の文字等を視認しながら引き続き文字等を筆記することができる。
【００２７】
このように、ペン先２の先端部近傍（照射範囲Ｘ）を照射可能に取り付けられたＵＶライト４により、ペン先２を記載面に向けたまま、ペン先３の先端部近傍の記載面に筆記された文字等が視認可能となるため、筆記している最中であっても筆記した（筆記している）文字等をペンを持ち替えることなく即座に確認することができる。
【００２８】
なお、上記の実施形態は、本発明の範囲を限定するものではなく、本発明の趣旨を逸脱しない範囲で種々の変更、応用が可能である。
【００２９】
上記実施形態において、スイッチ５の位置は、胴体部１の把持部１１であってキャップ６が被嵌される箇所に設けられた切り欠き１２の凹部（底部）に設けられているが、図６に示すように、切り欠き１２を設けずにスイッチ５を設ける態様も可能である。図６（ａ）は本発明の他実施形態の蛍光ペンのキャップ被嵌状態を示す図であり、図６（ｂ）はキャップを外した状態を示す図である。
【００３０】
図６の蛍光ペンにおいては、スイッチ５として押下することによって消灯するタクトスイッチ（押下を止めると消灯が解除される−すなわち点灯する−自動復帰スイッチ）が好ましい。これにより、図６（ａ）のキャップ６が胴体部１に被嵌した状態では、スイッチ５の押下状態が保持され、ＵＶライト４は消灯状態を保持する一方、図６（ｂ）のようにキャップ６を外せば、スイッチ５の押下状態が解除され、ＵＶライト４は、点灯状態を保持する。したがって、キャップ６で被嵌することにより、ＵＶランプ４の切り忘れを防止するとともに、携帯中のＵＶライト４の誤点灯を防止することができる。
【００３１】
また、上記実施形態のスイッチ５は、スイッチを押下するごとにオン−オフを繰り返す（２アクションの）プッシュスイッチであったが、図６の態様で述べた１アクションのタクトスイッチや、スライドスイッチ等、種々適用可能である。さらに、スイッチ５の取り付け位置は、上記実施形態のように把持部１１に設ける態様のみならず、いずれの箇所に設けられてもよい。
【００３２】
上記実施形態において、ＵＶライト４は、円錐台部３に切り欠き３１を設けて取り付けられるが、図７に示すように、円錐台部３の全部または一部を透明部材３２で整形し、その内部にＵＶライト４を設置することとしてもよい。またこの際、透明部材３２をレンズ形状とすることにより、照射範囲および／または照射光量を拡大させることができる。例えば、図７の例では、図７（ｂ）に示すように、ＵＶライト４を２個用いているが、透明部材３２をレンズ形状とすることにより、図４の実施形態（ＵＶライト４を４個使用）の場合と比べても遜色ない光量を得ることができる。
【００３３】
また、本実施形態のＵＶライト４は、ＬＥＤを複数用いたが、１個のみでもよく、また、その配置も種々適用可能である。また、無色蛍光インクが発光するだけの光エネルギーを有するライトであれば、必ずしもＬＥＤを用いなくてもよい。
【００３４】
上記実施形態において、ＵＶライト４は、胴体部１内に設けられたが、ペン先２の先端部近傍を照射可能であれば、胴体部１の外側に備える態様も採用可能である。図８は胴体部１の外側にＵＶライト４が設けられた実施形態を示す図である。
【００３５】
図８（ａ）は胴体部１に支持部材４１を介してＵＶライト４が設けられている。また、電池収納部（１４）やスイッチ５は、胴体部１内に設けられる。図８（ａ）のような態様によれば、キャップ６で胴体部１を被嵌した場合でもペン先２とは独立してＵＶライト４が使用可能であるため、ＵＶライト４単独で使用する際にペン先２が外気に曝されて乾燥するのを防止することができる。また、支持部材４１の形状を種々変更することにより、デザイン性に富む様々な蛍光ペンを形成することができる。
【００３６】
図８（ｂ）および図８（ｃ）はＵＶライト４のみならず、スイッチ５や電池収納部（１４）も胴体部１の外側に設けられる。
【００３７】
図８（ｂ）の態様においては、スイッチ５や電池収納部（１４）を有するＵＶライト用胴体部４２が取り付け部材１５により着脱可能に取り付けられるように構成される。この場合、ＵＶライト４を具備しない従来の蛍光ペンに取り付け部材１５を介して取り付けることができ、ペン先２の太さや無色蛍光インクの紫外線光照射時の色等により異なる様々な種類の従来の蛍光ペンについて本発明の効果を享受させることができる。
【００３８】
また、図８（ｃ）の態様においては、図８（ｂ）におけるＵＶライト用胴体部がペン先２を保護するキャップ６０としても機能する。そして、当該キャップ６０には、クリップ部６１が設けられ、蛍光ペン使用時には、取り付け部材１５に嵌合し胴体部１にＵＶライト４を固定すべく作用する。また、蛍光ペン携帯時には、携帯の用に供する通常のクリップとして作用する。このように、蛍光ペンの胴体部１内にＵＶライト４や電源部分を設けることなく、本発明の効果を奏する蛍光ペンを提供することができる。
【００３９】
また、ＵＶライト４を点灯させるための電源は、ボタン電池、乾電池、太陽電池等の種々の電池を採用可能である。また、携帯性を考慮に入れる必要がなければ、外部電源を使用する態様も可能である。
【図面の簡単な説明】
【００４０】
【図１】本発明の一実施形態に係る蛍光ペンを示す図である。
【図２】図１の蛍光ペンのキャップ被嵌状態を示す図である。
【図３】図１の蛍光ペンの部分断面図である。
【図４】図１の蛍光ペンをペン先側から見た図である。
【図５】図１の蛍光ペンの使用状態図である。
【図６】本発明の他実施形態に係る蛍光ペンを示す図である。
【図７】本発明の他実施形態に係る蛍光ペンを示す図である。
【図８】本発明の他実施形態に係る蛍光ペンを示す図である。
【符号の説明】
【００４１】
１  胴体部
２  ペン先
４  ＵＶライト
【図１】
2005111825.tif 000003
【図２】
2005111825.tif 000004
【図３】
2005111825.tif 000005
【図４】
2005111825.tif 000006
【図５】
2005111825.tif 000007
【図６】
2005111825.tif 000008
【図７】
2005111825.tif 000009
【図８】
2005111825.tif 000010